(57)【特許請求の範囲】
【請求項１】
複数の照明装置の調光制御をするために参照され、それぞれ異なる種類のデータを生成する複数のデータ生成装置が共通した通信バス上に接続されると共に、調光対象となる照明装置が複数接続された照明制御装置において、
上記共通した通信バスと接続され、上記複数のデータ生成装置から異なる種類のデータを受信する送受信手段と、
上記送受信手段で受信した複数のデータに基づいた副表示画面として表示すると共に、上記照明装置の動作を制御するための照明制御画面を主画面として表示するための表示データを生成する表示画像生成手段と、
上記表示画像生成手段で生成された表示データを表示する表示手段と、
上記表示手段で表示された表示内容に従って利用者により照明制御するように操作され、操作内容に従った操作入力信号を生成する操作入力手段と、
上記操作入力手段で生成された操作入力信号に基づいて上記照明装置を制御する調光制御信号を上記照明装置に送信するように上記送受信手段を制御をする制御手段とを備え、
上記データ生成装置は、上記照明装置による照明部分を撮像して画像撮像データを生成する撮像装置であり、
上記表示画像生成手段は、上記送受信手段が上記撮像装置から受信した画像撮像データに対して映像処理をして画像撮像データを副画面として上記表示手段に画面表示するための表示データにすることを特徴とする照明制御装置。
【請求項２】
上記データ生成装置は、上記照明装置による照明部分を撮像して上記画像撮像データとしての動画撮像データを生成する撮像装置であり、
上記表示画像生成手段は、上記送受信手段が上記撮像装置から受信した動画撮像データに対して映像処理をして動画撮像データを副画面として上記表示手段に画面表示するための表示データにすることを特徴とする請求項１記載の照明制御装置。
【請求項３】
上記照明装置による照明部分を示す静止画像を記憶する静止画像記憶手段を更に備え、
調光制御をするに際して、利用者による静止画像を参照する操作入力信号が生成されたことに応じて、上記静止画像記憶手段に記憶された静止画像を副画面として上記表示手段で表示することを特徴とする請求項１記載の照明制御装置。
【請求項４】
上記データ生成装置は、上記照明装置の状態を監視する監視信号を生成する状態監視装置であり、
上記表示画像生成手段は、上記送受信手段が上記状態監視装置から受信した監視信号に基づく各照明装置の状態を副画面として上記表示手段に画面表示するための表示データにすることを特徴とする請求項１記載の照明制御装置。
【請求項５】
上記送受信手段は、上記照明装置による照明部分に関する音響データを放音する音響装置と接続され、
利用者による上記音響装置を制御する操作入力信号が生成されたことに応じて、上記送受信手段から音響生成装置に操作内容に従った音響制御信号を送信して上記音響装置を制御することを特徴とする請求項１〜４の何れか一に記載の照明制御装置。
【請求項６】
第１プロトコルに従った制御信号を入力し、入力した制御信号に従って動作する複数の照明装置と、
上記第１プロトコルとは異なる第２プロトコルに従って異なる種類のデータを受信する送受信手段と、上記送受信手段で受信した複数のデータに基づいた副表示画面として表示すると共に、上記照明装置の動作を制御するための照明制御画面を主画面として表示するための表示データを生成する表示画像生成手段と、上記表示画像生成手段で生成された表示データを表示する表示手段と、上記表示手段で表示された表示内容に従って利用者により照明制御するように操作され、操作内容に従った操作入力信号を生成する操作入力手段と、上記操作入力手段で生成された操作入力信号に基づいて上記照明装置を制御する調光制御信号を送信するように上記送受信手段を制御をする制御手段とを備える調光制御装置と、
上記第２プロトコルに従って上記調光制御装置との間で異なる種類のデータを送受信する送受信手段を有するデータ処理装置と、
上記照明装置及び上記調光制御装置と接続され、上記第２プロトコルに従って調光制御信号を受信する受信手段と、上記受信手段で受信した調光制御信号を上記第１プロトコルに従った情報形態に変換する変換手段と、上記変換手段により変換された調光制御信号を上記照明装置に送信する送信手段とを有する変換装置とを備え、
上記データ処理装置は、舞台の様子を撮像した映像データを保持する映像操作卓であることを特徴とする照明システム。
【請求項７】
上記第１プロトコルはＤＭＸ規格であり、上記第２プロトコルは汎用のＬＡＮ規格であることを特徴とする請求項６記載の照明システム。
【発明の詳細な説明】
【０００１】
【発明の属する技術分野】
本発明は、例えば舞台演出などで使用される照明装置を利用者の管理に従って制御する照明制御装置、照明システムに関する。
【０００２】
【従来の技術】
従来より、舞台演出の為に使用する複数の照明装置を遠隔制御するために、調光制御装置から照明装置を制御するデータ規格としては、ＤＭＸ５１２規格が使用された照明システムが知られている。
【０００３】
この従来の照明システムでは、図９に示すように、利用者に操作される調光操作卓１０１と表示モニタ１０２とが接続されると共に、調光制御卓１０１及び複数の照明装置１０３と接続され、調光制御卓１０１からのＤＭＸ５１２規格に準拠した調光制御信号に従って複数の照明装置１０３に調光用の電源を供給する調光装置１０４を備えて構成されていた。
【０００４】
このような照明システムでは、調光制御卓１０１内の操作部１１１が利用者により操作されて、調光制御卓１０１の制御部１１２から調光制御信号を調光装置１０４に出力し、調光装置１０４を介して照明装置１０３のオン／オフや明暗などの調光制御をしていた。また、従来の照明システムでは、記憶部１１３に記憶されたデータを使用して照明装置１０３の制御を行っていた。
【０００５】
図９に示す照明システムでは、単純な機能の照明装置１０３Ａとして、電源によるオン／オフ、明暗のみが制御されるダウンライトがある。
【０００６】
このような照明装置１０３Ａを制御するには、制御部１１２から照明装置１０３Ａを制御する操作が操作部１１１になされ、操作内容に従った調光制御信号をＤＭＸ５１２規格に従って制御部１１２により調光装置１０４の制御部１２１に送信する。すると、制御部１２１では、複数の照明装置１０３Ａと接続された調光器１２２により電源主幹１２３からの電源を調光制御信号に従って各照明装置１０３Ａに供給する。これにより、照明システムでは、照明装置１０３Ａのオン／オフ、明暗の制御を実現する。
【０００７】
更に、従来の照明システムでは、高機能な照明装置１０３Ｂとして、鏡で反射させて照明光の照射方向を制御するミラー型のムービングライトや、照明器具の前面に設けた色付フィルムを変更することにより照明光の色を制御するカラーチェンジャなどがある。
【０００８】
このような照明装置１０３Ｂを制御するには、制御部１１２から照明装置１０３Ｂを制御する操作が操作部１１１になされ、操作内容に従った調光制御信号及び動作制御信号をＤＭＸ５１２規格に従って制御部１１２により調光装置１０４の制御部１３１に送信する。すると、制御部１３１では、複数の照明装置１０３Ｂと接続された調光器１３２により電源主幹１２３からの電源を調光制御信号に従って各照明装置１０３Ｂに供給する。また、制御部１３１では、ある照明装置１０３Ｂに動作制御信号を送信し、その照明装置１０３Ｂから、１〜５１２チャネルについての制御信号を含むシリアル信号を順次動作制御信号を送信することで全体での動作を制御する。これにより、照明システムでは、照明装置１０３Ｂのオン／オフ、明暗の制御、並びに照明光の照射方向及び色の制御を実現する。
【０００９】
このＤＭＸ５１２規格では、送り配線（ディジー・チェーン）を使用して伝送を行い、各照明装置についての調光制御信号及び動作制御信号をシリアル方式に従い巡回して伝送し、制御対象となる照明装置で受信して動作させることを規定している。
【００１０】
ところで、複数の照明装置が備えられる実際の舞台では、照明装置のみならず、音響や映像なども制御する必要があることが多い。
【００１１】
従来では、照明システムを使用した照明装置を制御するためには上述のＤＭＸ５１２規格に準じた方式を使用し、音響を制御するためにはＭＩＤＩ規格を使用することが多く、更に、音響と映像とを同期させて伝送するに際してはＳＭＰＴＥ（Society of Motion Picture and Television Engineers、映画テレビ技術者協会）などの方式を使用することが多い。したがって、従来では、それぞれ伝送するデータ種類ごとに異なる規格を使用し、図１０に示すように、伝送する配線もまた別になっていることが多かった。
【００１２】
図１０に示す照明システムでは、舞台２０１の調光するために利用者が操作する調光制御卓１０１及び表示モニタ１０２、映像調整をするために利用者が操作する映像操作卓１４１及び表示モニタ１４２、音響調整をするために利用者が操作する音響操作卓１４３及び表示モニタ１４４が別個に配設されている。
【００１３】
映像操作卓１４１は、カメラ装置１４５と接続され、利用者に操作されることでカメラ装置１４５の向きなどが制御されて、舞台２０１での撮像内容が制御され、カメラ装置１４５で撮像した映像が映像専用線を介して映像操作卓１４１に入力される。また、映像操作卓１４１は、舞台２０１に併設されたモニタ１４６などにカメラ装置１４５で撮像した映像をＳＭＰＴＥ規格に従って出力する。
【００１４】
また、音響操作卓１４３は、利用者に操作されることにより、内部に記憶した音響データを音響データ専用線を介して変換器１４７に出力し、アンプ１４８及びスピーカ１４９により舞台２０１に関する音響を放音する。
【００１５】
すなわち、図１０に示すような照明システムでは、調光、映像並びに音響の関連付けを利用者の手動による操作に委ねることが多かった。
【００１６】
これを解決するために、従来では、図１１及び図１２に示すような照明システムが特開平９−３２０７６６号公報により開示されている。この照明システムは、例えばイーサネットなどの汎用の通信プロトコルを利用し、調光制御卓１０１と調光装置１０４との間にプロトコル変換を行うコンバータ１５１を設けると共に、調光制御卓１０１、映像操作卓１４１及び音響操作卓１４３をハブ１６１を介してイーサネットなどの汎用の通信プロトコルにて接続する。そして、調光制御卓１０１、映像操作卓１４１及び音響操作卓１４３で共通の制御コマンドを設定して相互に制御可能とする。
【００１７】
この照明システムでは、イーサネットで各卓を接続することで相互にデータの送受信を可能とすると共に、照明装置１０３を制御するに際しては、イーサネットに従って調光制御卓１０１からコンバータ１５１に信号を送信し、コンバータ１５１により信号をＤＭＸ５１２規格に変換して調光装置１０４及び照明装置１０３を動作させる。
【００１８】
【発明が解決しようとする課題】
前記従来の照明システムでは、調光するレベルの制御画面用のマン・マシン出力装置である表示モニタ１０２と、舞台２０１の映像を表示する表示モニタ１４２とは別個となっていることが多い。
【００１９】
しかし、このような構成となっている照明システムでは、表示モニタ１０２で調光レベルを確認した後に、実際に照明装置１０３で舞台２０１の照明状況を確認するためには、表示モニタ１４２に表示された映像を視認する必要があり、利用者にとっては視線の移動が必要となり煩雑となるという問題点があった。
【００２０】
また、通常表示モニタ１０２に表示される現在の調光レベルを示す調光レベルリストは数字の羅列表示であることが多く、実際の舞台２０１の照明状況を注釈として表示されていることが多い。したがって、利用者が直感的に照明状況を把握することは困難であった。
【００２１】
そこで、本発明は、上述した実情に鑑みて提案されたものであり、例えば舞台などの照明装置を制御するに際しての利用者の操作性を向上させることができる照明制御装置、照明システムを提供することを目的とする。
【００２２】
【課題を解決するための手段】
上述の課題を解決するために、請求項１に係る発明では、複数の照明装置の調光制御をするために参照され、それぞれ異なる種類のデータを生成する複数のデータ生成装置が共通した通信バス上に接続されると共に、調光対象となる照明装置が複数接続された照明制御装置において、上記共通した通信バスと接続され、上記複数のデータ生成装置から異なる種類のデータを受信する送受信手段と、上記送受信手段で受信した複数のデータに基づいた副表示画面として表示すると共に、上記照明装置の動作を制御するための照明制御画面を主画面として表示するための表示データを生成する表示画像生成手段と、上記表示画像生成手段で生成された表示データを表示する表示手段と、上記表示手段で表示された表示内容に従って利用者により照明制御するように操作され、操作内容に従った操作入力信号を生成する操作入力手段と、上記操作入力手段で生成された操作入力信号に基づいて上記照明装置を制御する調光制御信号を上記照明装置に送信するように上記送受信手段を制御をする制御手段とを備え、上記データ生成装置は、上記照明装置による照明部分を撮像して画像撮像データを生成する撮像装置であり、上記表示画像生成手段は、上記送受信手段が上記撮像装置から受信した画像撮像データに対して映像処理をして画像撮像データを副画面として上記表示手段に画面表示するための表示データにする。
【００２３】
請求項２に係る発明では、上記データ生成装置は、上記照明装置による照明部分を撮像して上記画像撮像データとしての動画撮像データを生成する撮像装置であり、上記表示画像生成手段は、上記送受信手段が上記撮像装置から受信した動画撮像データに対して映像処理をして動画撮像データを副画面として上記表示手段に画面表示するための表示データにする。
【００２４】
請求項３に係る発明では、上記照明装置による照明部分を示す静止画像を記憶する静止画像記憶手段を更に備え、調光制御をするに際して、利用者による静止画像を参照する操作入力信号が生成されたことに応じて、上記静止画像記憶手段に記憶された静止画像を副画面として上記表示手段で表示する。
【００２５】
請求項４に係る発明では、上記データ生成装置は、上記照明装置の状態を監視する監視信号を生成する状態監視装置であり、上記表示画像生成手段は、上記送受信手段が上記状態監視装置から受信した監視信号に基づく各照明装置の状態を副画面として上記表示手段に画面表示するための表示データにする。
【００２６】
請求項５に係る発明では、上記送受信手段は、上記照明装置による照明部分に関する音響データを放音する音響装置と接続され、利用者による上記音響装置を制御する操作入力信号が生成されたことに応じて、上記送受信手段から音響生成装置に操作内容に従った音響制御信号を送信して上記音響装置を制御する。
【００２７】
上述の課題を解決するために、請求項６に係る発明では、第１プロトコルに従った制御信号を入力し、入力した制御信号に従って動作する複数の照明装置と、上記第１プロトコルとは異なる第２プロトコルに従って異なる種類のデータを受信する送受信手段と、上記送受信手段で受信した複数のデータに基づいた副表示画面として表示すると共に、上記照明装置の動作を制御するための照明制御画面を主画面として表示するための表示データを生成する表示画像生成手段と、上記表示画像生成手段で生成された表示データを表示する表示手段と、上記表示手段で表示された表示内容に従って利用者により照明制御するように操作され、操作内容に従った操作入力信号を生成する操作入力手段と、上記操作入力手段で生成された操作入力信号に基づいて上記照明装置を制御する調光制御信号を送信するように上記送受信手段を制御をする制御手段とを備える調光制御装置と、上記第２プロトコルに従って上記調光制御装置との間で異なる種類のデータを送受信する送受信手段を有するデータ処理装置と、上記照明装置及び上記調光制御装置と接続され、上記第２プロトコルに従って調光制御信号を受信する受信手段と、上記受信手段で受信した調光制御信号を上記第１プロトコルに従った情報形態に変換する変換手段と、上記変換手段により変換された調光制御信号を上記照明装置に送信する送信手段とを有する変換装置とを備え、上記データ処理装置は、舞台の様子を撮像した映像データを保持する映像操作卓である。
【００２９】
請求項７に係る発明では、上記第１プロトコルはＤＭＸ規格であり、上記第２プロトコルは汎用のＬＡＮ規格である。
【００３０】
【発明の実施の形態】
以下、本発明の実施の形態について図面を参照して説明する。
【００３１】
本発明は、例えば図１に示すように構成された照明システムに適用される。
【００３２】
［照明システムの構成（図１）］
この照明システムは、図１に示すように、照明対象となる舞台１を照明する照明装置２を複数備え、利用者の指示に従って各照明装置２を制御することで舞台１の照明演出をするものである。
【００３３】
照明装置２としては、電源によるオン／オフ、明暗のみが制御可能なダウンライトなどの単純な機能の照明装置や、鏡で反射させて照明光の照射方向を制御するミラー型のムービングライトや、照明器具の前面に設けた色付フィルムを変更することにより照明光の色を制御可能な高機能な照明装置がある。本例では、単純な機能の照明装置、高機能な照明装置のいずれも適用であり、何れかに限定されることはない。
【００３４】
照明システムでは、単純な機能の照明装置２を制御するには、照明装置２のオン／オフ、並びに明暗を制御する調光制御信号をＤＭＸ５１２規格に従って伝送する。また、照明システムでは、高機能な照明装置２を制御するには、調光制御信号及び照明光の照明方向や色を制御する動作制御信号をＤＭＸ５１２規格に従って伝送する。
【００３５】
このＤＭＸ５１２規格は、調光制御信号や動作制御信号に含まれる情報の内容や、送り配線（ディジー・チェーン）を使用して伝送を行い、各照明装置についての調光制御信号及び動作制御信号をシリアル方式に従い巡回して伝送され、制御対象となる照明装置で受信することなどを定義したものである。
【００３６】
このような照明システムは、利用者により操作指示される照明制御装置１１と、この照明制御装置１１により表示制御される表示モニタ１２と、照明制御装置１１と汎用の通信プロトコルを使用して接続される調光装置１３、調光用コンバータ１４とが、舞台１とは異なる場所の制御室内に設置されている。
【００３７】
また、この照明システムは、照明制御装置１１と汎用の通信プロトコルを使用して接続されたカメラ装置１５、モニタ１６及び第１無線通信装置１７と、第１無線通信装置１７と無線接続された第２無線通信装置１８と、音響出力部１９とが、舞台１側に設置されている。
【００３８】
この照明システムにおいて、照明制御装置１１，調光装置１３、調光用コンバータ１４、カメラ装置１５、モニタ１６及び第１無線通信装置１７間でデータ等の送受信する為の上記汎用の通信プロトコルは、例えば汎用のＬＡＮ（Local Area Network）規格である所謂イーサネットを使用している。この照明システムでは、照明制御装置１１と接続された各装置との間でデータ伝送をするに際して、イーサネットに準じたパケットにデータを格納する。
【００３９】
照明制御装置１１は、各種情報を表示モニタ１２により利用者に提示して利用者に操作され、その操作内容に応じた調光制御信号及び動作制御信号を生成する。照明制御装置１１は、生成した調光制御信号及び動作制御信号をイーサネットに準じたパケットに格納して調光装置１３及び調光用コンバータ１４に送信する。なお、この照明制御装置１１の詳細な構成については後述する。
【００４０】
調光装置１３は、イーサネット用インターフェース及びＤＭＸ５１２用インターフェースを備え、照明制御装置１１からのパケットをイーサネット用インターフェースにより受信して調光制御信号を取り出す処理、又は調光用コンバータ１４からの調光制御信号をＤＭＸ５１２インターフェースにより受信する処理をする。この調光装置１３は、受信した調光制御信号に従って照明装置２に供給する電源のオン／オフ、電源供給量などを制御する。
【００４１】
調光用コンバータ１４は、イーサネット用インターフェースを備え、照明制御装置１１からのパケット化された調光制御信号又は動作制御信号を受信し、調光制御信号又は動作制御信号をＤＭＸ５１２規格に準じた信号形態に変換する。調光用コンバータ１４は、変換して得た調光制御信号を調光装置１３に出力すると共に、動作制御信号を照明装置２に送信する。
【００４２】
カメラ装置１５は、舞台１の様子を撮像して、例えばＭＰＥＧ（Moving Picture Experts Group）規格に準じた撮像データを生成する。カメラ装置１５は、生成した撮像データをイーサネットに準じたパケットにして照明制御装置１１に送信する。また、このカメラ装置１５は、例えば撮像方向の変更などの制御信号が照明制御装置１１から送信され、制御信号に従って動作をする。
【００４３】
モニタ１６は、舞台１に併設してなり、照明制御装置１１からの各種情報を表示する。このモニタ１６は、イーサネット用インターフェースを備え、例えばカメラ装置１５で現在撮像している舞台１の様子などを示す映像データがパケット化されて送信されて表示をする。
【００４４】
第１無線通信装置１７は、イーサネット用インターフェースを備え、照明制御装置１１からの音響データがパケット化されて送信される。第１無線通信装置１７は、イーサネット用インターフェースにより音響データを取りだし、無線通信するための通信プロトコルに従って第２無線通信装置１８に無線データを送信する。
【００４５】
第２無線通信装置１８は、第１無線通信装置１７と共通した通信プロトコルを実装し、第１無線通信装置１７からの無線データを受信し、無線データに含まれる音響データを取り出す。第２無線通信装置１８は、例えば音響出力部１９がＶｏＩＰ（Voice over Internet Protocol）に対応したヘッドセットや、スピーカなどであるときには、インターネットプロトコルに従って音響データをパケット化して送信する。
【００４６】
「照明システムで使用するデータの種類（図２）」
図２に、上述の照明システムにおいて、イーサネットで接続された照明制御装置１１で使用するデータの種類を示す。
【００４７】
この照明システムでは、図２に示すように、照明制御装置１１と調光装置１３及び調光用コンバータ１４との間で伝送される調光制御信号、照明制御装置１１と調光装置１３との間で状態監視信号が伝送される。この状態監視信号は、調光装置１３が各照明装置２を監視し、照明装置２に供給する電源の漏電、照明装置２の温度、照明装置２の過負荷を調光装置１３で監視することで生成される。この状態監視信号は、調光装置１３によりイーサネットに準じたパケットに変換されて照明制御装置１１に送信される。
【００４８】
また、この照明システムでは、照明制御装置１１とは異なる場所に配置された映像操作装置及び音響操作装置間で制御をする外部連動信号がイーサネット上で伝送される。この外部連動信号は、カメラ装置１５で撮像された映像データに関して利用者の指示に従って動作する映像操作装置（図示せず）及び内部に記憶した音響データに関して利用者の指示に従って動作する音響操作装置（図示せず）などとの連動、各操作装置間でのデータの取り込みなどを制御するための信号である。この外部連動信号は、照明制御装置１１、映像操作装置、音響操作装置との間で共通した制御コマンドを実装することにより照明制御装置１１、映像操作装置及び音響操作装置で生成されて、イーサネット上で伝送される。
【００４９】
更に、この照明システムでは、音響操作装置やマイク（図示せず）で生成された音響データがイーサネット上で伝送される。この音響データは、上記外部連動信号により音響操作装置及び照明制御装置１１が動作することにより、例えば音響操作装置から照明制御装置１１に送信されて、照明制御装置１１内に記憶される。
【００５０】
更にまた、この照明システムでは、カメラ装置１５で生成された映像データや、映像サーバとして機能する映像操作装置に記憶された映像データがイーサネット上で伝送される。この映像データは、動画像データと静止画像データの双方を含み、上記外部連動信号により映像操作装置及び照明制御装置１１が動作することにより、例えば映像操作装置から照明制御装置１１に送信されて照明制御装置１１内に記憶される。
【００５１】
「照明制御装置の構成（図３）」
図３に、照明制御装置１１の構成を示す。図３によれば、利用者に操作されるフェーダ、オンオフスイッチ等で構成される操作部２１、表示モニタ１２と接続された表示制御部２２、メディア制御部２３、イーサネット上に接続されたＬＡＮ制御部２４、各部を制御するＣＰＵ（Central Processing Unit）などで構成される照明制御部２５、この照明制御部２５の作業領域として使用される記憶部２６が、内部のバス２７に接続されて構成されている。
【００５２】
操作部２１は、利用者に操作されることで、操作内容に従った操作入力信号を生成し、バス２７を介して照明制御部２５に出力する。
【００５３】
表示制御部２２は、照明制御部２５により制御されて、メディア制御部２３からバス２７を介して入力された各種信号やデータを表示モニタ１２に応じて変換して表示データを生成して表示モニタ１２に出力する。
【００５４】
また、表示制御部２２では、後述の照明制御内容を示す主画面と、他のデータによる副画面とを合成した表示データを作成して表示モニタ１２に表示させる処理をする。
【００５５】
メディア制御部２３は、イーサネットを介して受信した動画像を示す映像データに対してＭＰＥＧ方式のデコード処理をする映像処理部３１と、イーサネットを介して受信した静止画像を示す映像データを得るためのキャプチャ等を行う画像処理部３２と、静止画像を示す映像データを記憶する画像メモリ３３と、イーサネットを介して受信した音響データをＬＡＮ制御部２４を介して第１無線通信装置１７に出力する処理をする音響処理部３４とを備える。
【００５６】
ＬＡＮ制御部２４は、調光装置１３、調光用コンバータ１４、カメラ装置１５、モニタ１６及び第１無線通信装置１７と接続され、イーサネット規格の通信プロトコルが実装されている。このＬＡＮ制御部２４は、各種信号やデータをイーサネットに準拠したパケットに変換して送信すると共に、外部からのパケットを解析して各種信号及びデータを取りだしてバス２７を介して照明制御装置１１の各部に出力する。
【００５７】
照明制御部２５は、操作部２１からの操作入力信号に従って照明制御装置１１の各部を制御すると共に、外部からＬＡＮ制御部２４を介して受信した信号に応じて照明制御装置１１の各部を制御する。なお、この照明制御部２５の処理内容については後述する。
【００５８】
「調光装置の構成（図４）」
図４に調光装置１３の構成を示す。図４によれば、調光用コンバータ１４及び照明装置２とＤＭＸ５１２規格に準拠した信号を送受信する信号線を介して接続された調光制御部４１と、各照明装置２に電源供給をする調光器４２と、照明装置２を駆動するための電源を外部から取り込んで調光器４２に供給する電源主幹４３とを備えて構成されている。
【００５９】
調光制御部４１は、イーサネット用インターフェース及びＤＭＸ５１２用インターフェースを備え、照明制御装置１１とイーサネットにより接続されると共に、調光用コンバータ１４及び照明装置２とＤＭＸ５１２により接続される。
【００６０】
この調光制御部４１は、調光用コンバータ１４からの調光制御信号に従って調光器４２を駆動し、調光器４２から各照明装置２に供給する電源のオン／オフ、電力量を制御することで、各照明装置２のオン／オフ及び明暗を制御する。
【００６１】
また、この調光制御部４１は、電源主幹４３及び調光器４２の漏電状態及び過負荷などの状態監視をすると共に、各照明装置２と接続されることによりＤＭＸ５１２信号を利用した照明装置２の漏電状態、過負荷及び温度などの状態監視をする。これにより、調光制御部４１は、状態監視信号を生成してイーサネットを介して照明制御装置１１に送信する。
【００６２】
［照明システムの動作（図５〜図８）］
つぎに、上述した照明システムの動作について説明する。この照明システムでは、照明制御装置１１で調光制御信号の作成時に利用者に操作させるに際して、イーサネットを介してＬＡＮ制御部２４で予め取り込んだ状態監視信号、音響データ、映像データ、並びに外部連動信号により映像操作装置や音響操作装置から取り込んだ音響データ及び映像データ、リアルタイムでカメラ装置１５からの映像データなどを受信する。
【００６３】
利用者が照明装置２を制御するとき、照明制御部２５は、操作部２１からの操作入力信号に従って、各照明装置２の動作（キュー）を時系列で一覧表示したキューリスト画面、このキューリストでの各動作における各照明装置２の明るさのレベルである調光レベルを羅列して表示した調光レベルリスト画面を表示する。このキューリスト画面を表示するための調光制御情報、調光レベルリスト画面を表示するための調光レベル情報は、例えば記憶部２６に記憶され、各画面を表示する操作入力信号に応じて表示制御部２２に読み込まれて表示モニタ１２に表示するように照明制御部２５で制御される。
【００６４】
照明制御部２５は、キューリスト画面を表示した状態において、操作部２１が操作されて動作内容の変更を指定する操作入力信号が入力されたことに応じて、各照明装置２の動作内容の編集処理などを行う。また、照明制御部２５は、調光レベルリスト画面を表示した状態において、調光レベルを指定する操作入力信号が入力されたことに応じて各照明装置２の調光レベルを変更、決定する処理をする。
【００６５】
照明制御部２５は、上述のようにキューリスト画面及び調光レベルリスト画面などの主画面を表示しているときに、画面全体よりも小さい画面の副画面を表示する。照明制御部２５は、操作入力信号に従って、主画面上に状態監視信号に基づいた副画面、外部連動信号に基づいた副画面、音声データに基づいた副画面、映像データに基づいた副画面を表示する。また、照明制御部２５は、主画面の内容に関連した副画面を自動的に表示することもできる。
【００６６】
更に、照明制御部２５は、図５に示すように、キューリスト画面を主画面５１とし、キューリスト画面上にキューリストに関連した副画面５２を表示する処理を行う。
【００６７】
ここで、キューリスト画面には、キュー（動作）番号、各キュー番号に対応し、一つのシーンから次のシーンに切り替わるときに各照明装置２の明度を徐々に変化させる時間であるフェードタイム、各キュー番号の動作の実行命令がなされてから実際に照明装置２で動作開始するまでのディレイタイム、照明装置２の状態を保持する時間であるウェイトタイムが設定されて表示している。各キュー番号に対応する照明装置２の動作は、調光制御装置１が操作されることで実行開始される。
【００６８】
図５に示した一例では、照明制御部２５は、キューリスト画面を表示している状態において、カメラ装置１５からリアルタイムで映像データをＬＡＮ制御部２４に取り込み、デコード処理をして表示モニタ１２に副画面５２として表示するように映像処理部３１及び表示制御部２２を制御する。
【００６９】
また、照明制御部２５は、図６に示すように、調光レベルリスト画面を主画面５１とし、調光レベルリスト画面上に調光レベルリストに関連した副画面５２を表示する処理を行う。
【００７０】
ここで、調光リスト画面には、各照明装置２に割り付けられた番号（Ｃｈ）と、各番号に対応する調光レベル（ＬＶ）を示す数値及び非動作を示す記号（−）とを表示している。この調光リスト画面は、上述の各キュー番号ごとに表示可能となっている。
【００７１】
図６に示した一例では、照明制御部２５は、調光レベルリスト画面を表示している状態において、予め画像メモリ３３に格納しておいた次の場面の舞台１の画像など画像メモリ３３から読み出して表示モニタ１２に副画面５２として表示するように表示制御部２２を制御する。
【００７２】
具体的には、記憶部２６に図７に示すようなシーン別照明制御テーブルを格納し、照明制御部２５は、記憶部２６からシーン別照明制御テーブルを読み出して副画面５２を表示する。
【００７３】
このシーン別照明制御テーブルは、舞台１での場面に付加されたシーン番号、各シーンでの各照明装置２のオン／オフ及び明るさを示す調光レベルリスト、シーン番号に対応した場面を示す静止画像（イメージ画像）のファイル名、各シーンに関する備考が対応づけられて記憶されたものである。
【００７４】
照明制御部２５は、シーン別に調光レベルを調整するときに、調整しているシーンの画像をシーン別照明制御テーブルを参照し、シーンに対応した静止画像を画像メモリ３３から読み出して表示モニタ１２により表示するように表示制御部２２を制御する。
【００７５】
更に、照明制御部２５は、図８に示すように、キューリスト画面を主画面５１とし、キューリスト画面上にキューリストに関連した副画面５２を表示する処理を行う。図８に示した一例では、照明制御部２５は、キューリスト画面を表示している状態において、調光装置１３からリアルタイムで状態監視信号をＬＡＮ制御部２４に取り込み、表示モニタ１２に副画面５２として表示するように表示制御部２２を制御する。
【００７６】
［実施の形態の効果］
以上、詳細に説明したように、本実施の形態に係る照明システムによれば、照明制御装置１１と調光装置１３、調光用コンバータ１４のみならず、カメラ装置１５，モニタ１６及び第１無線通信装置１７と、イーサネットなどの汎用の通信プロトコルに従った共通の通信バスにより接続する構成となっているので、接続された装置の各種情報やデータを照明制御装置１１で取り込むことができる。したがって、この照明システムによれば、複数の照明装置２の制御をするときに、表示モニタ１２に各種情報やデータの内容を表示モニタ１２により利用者に提示することができ、利用者の操作性を向上させることができる。
【００７７】
また、この照明システムによれば、カメラ装置１５により取り込んだ映像データを、キューリスト画面を主画面とし、映像データの内容を副画面として表示することができるので、リアルタイムの映像を参照しながら照明装置２の制御をすることができる。したがって、この照明システムによれば、別個のモニタにキューリスト画面、映像を表示する場合と比較して利用者の視線の移動距離を減らすことができ、更に利用者の操作性を向上させることができる。
【００７８】
更に、この照明システムによれば、予め画像メモリ３３に照明制御に必要な静止画像データを記憶しておき、照明制御に必要な画面を主画面にし、静止画像を副画面にして表示することで、静止画像を参照しながら照明制御を設定することができ、更に利用者の操作性を向上させることができる。ここで、静止画像データとしては、予め舞台１のリハーサルで照明装置２を動作させたときの静止画像、或いは絵コンテなどの画像である。このような照明制御にとって必要な静止画像を画像メモリ３３に記憶しておくことにより、実際の照明具合をイメージ的な照明具合にあわせるように照明制御することが可能となり、更に利用者の操作性を向上させることができる。
【００７９】
更にまた、照明システムによれば、調光装置１３から照明制御装置１１に各照明装置２についての状態監視信号を送信し、照明制御装置１１により照明制御画面を主画面にし照明装置２の状態を副画面として表示することができる。したがって、この照明システムによれば、故障している照明装置２を認識して調光レベルリストなどを修正することができ、更には各照明装置２の過負荷状態を参照して調光レベルリストを修正することができる。この照明システムによれば、照明装置２の状態に起因する照明制御の不具合発生原因の特定や、回避策の実行を用意にすることができ、更に利用者の操作性を向上させることができる。
【００８０】
更にまた、照明システムによれば、照明制御装置１１内に音響処理部３４を設け、イーサネットを介して照明制御装置１１と接続された音響機器を制御することができる。また、この照明システムによれば、音響機器としてＶｏＩＰに対応したヘッドセットを使用することにより、例えば照明器具を配置するときに、照明制御装置１１を操作する利用者と、照明器具を配置する人との間での通話を可能とすることができる。更に、ネットワーク一部を無線化することにより更に使用しやすくできる。
【００８１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００８２】
また、上述の実施形態では、主画面に対して一つの副画面を表示する一例について説明したが、これに限らず、主画面に対して複数の副画面を表示しても良いことは勿論である。例えば、照明具合のサンプルとなるイメージ画像と共に、実際の舞台１の様子を示す映像を副画面として表示することにより、更に利用者の操作性を向上させることができる。
【００８３】
【発明の効果】
請求項１に係る発明によれば、複数の照明装置の調光制御をするために参照される異なる種類のデータを用いて利用者の操作に従って照明制御をするに際して、照明装置の動作を制御するための照明制御画面を主画面として表示することができるので、各種情報やデータの内容を表示して利用者に提示することができ、利用者の操作性を向上させることができる。また、請求項１に係る発明によれば、撮像装置から受信した画像撮像データに対して映像処理をして画像撮像データを副画面として表示するので、照明制御画面を主画面とし映像の内容を副画面として表示することができるので、画像を参照しながら照明装置の制御をすることができる。したがって、請求項１に係る発明によれば、別個の表示装置に照明制御画面、映像を表示する場合と比較して利用者の視線の移動距離を減らすことができ、更に利用者の操作性を向上させることができる。
【００８４】
請求項２に係る発明によれば、撮像装置から受信した動画撮像データに対して映像処理をして動画撮像データを副画面として表示するので、照明制御画面を主画面とし映像の内容を副画面として表示することができるので、リアルタイムの映像を参照しながら照明装置の制御をすることができる。したがって、請求項２に係る発明によれば、別個の表示装置に照明制御画面、映像を表示する場合と比較して利用者の視線の移動距離を減らすことができ、更に利用者の操作性を向上させることができる。
【００８５】
請求項３に係る発明によれば、調光制御をするに際して、利用者による静止画像を参照する操作入力信号が生成されたことに応じて、静止画像を副画面として表示するので、予め照明制御に必要な静止画像を記憶しておき、照明制御画面を主画面にし、静止画像を副画面にして表示することで、静止画像を参照しながら照明制御を設定することができ、更に利用者の操作性を向上させることができる。
【００８６】
請求項４に係る発明によれば、状態監視装置から受信した監視信号に基づく各照明装置の状態を副画面として表示するので、例えば故障している照明装置を認識して照明制御の内容を修正することができ、更には各照明装置の過負荷状態を参照して照明制御の内容を修正することができる。
【００８７】
請求項５に係る発明によれば、利用者による上記音響装置を制御する操作入力信号が生成されたことに応じて、音響生成装置に操作内容に従った音響制御信号により音響装置を制御することができる。
【００８８】
請求項６に係る発明によれば、複数の照明装置の調光制御をするために参照される異なる種類のデータを第２プロトコルにより受信し、第１プロトコルに従って制御される照明装置の動作を制御するための照明制御画面を主画面として表示することができるので、各種情報やデータの内容を表示して利用者に提示することができ、利用者の操作性を向上させることができる。また、請求項６に係る発明では、舞台の様子を撮像した映像データを保持する映像操作卓であり、映像内容を副画面にして照明制御画面を利用者に提示することができ、更に利用者の操作性を向上させることができる。
【００９０】
請求項７に係る発明では、第１プロトコルはＤＭＸ規格であり、第２プロトコルは汎用のＬＡＮ規格であるので、第２プロトコルにより異なる種類のデータを異なる装置から受信することができると共に、照明制御のＤＭＸ規格により照明装置を制御することができる。
【図面の簡単な説明】
【図１】本発明を適用した照明システムの構成を示すブロック図である。
【図２】本発明を適用した照明システムで使用するデータの種類を説明するための図である。
【図３】本発明を適用した照明制御装置の構成を示すブロック図である。
【図４】調光装置の構成を示すブロック図である。
【図５】照明制御装置によりキューリスト画面を主画面にし、映像画面を副画面にして表示モニタに表示することを説明するための図である。
【図６】照明制御装置により調光レベルリスト画面を主画面にし、静止画像画面を副画面にして表示モニタに表示することを説明するための図である。
【図７】シーン別照明制御テーブルに含まれる情報について説明するための図である。
【図８】照明制御装置により調光レベルリスト画面を主画面にし、状態監視画面を副画面にして表示モニタに表示することを説明するための図である。
【図９】従来の照明システムの構成を示すブロック図である。
【図１０】従来の照明システムの他の構成を示すブロック図である。
【図１１】イーサネットで各装置が接続された従来の照明システムの構成を示すブロック図である。
【図１２】イーサネットで各装置が接続された従来の照明システムを説明するための図である。
【符号の説明】
１  舞台
２  照明装置
１１  照明制御装置
１２  表示モニタ
１３  調光装置
１４  調光用コンバータ
１５  カメラ装置
１６  モニタ
１７  第１無線通信装置
１８  第２無線通信装置
１９  音響出力部
２１  操作部
２２  表示制御部
２３  メディア制御部
２４  ＬＡＮ制御部
２５  照明制御部
２６  記憶部
２７  バス
３１  映像処理部
３２  画像処理部
３３  画像メモリ
３４  音響処理部
４１  調光制御部
４２  調光器
４３  電源主幹
【図１】
0004399999.tif 000002
【図２】
0004399999.tif 000003
【図３】
0004399999.tif 000004
【図４】
0004399999.tif 000005
【図５】
0004399999.tif 000006
【図６】
0004399999.tif 000007
【図７】
0004399999.tif 000008
【図８】
0004399999.tif 000009
【図９】
0004399999.tif 000010
【図１０】
0004399999.tif 000011
【図１１】
0004399999.tif 000012
【図１２】
0004399999.tif 000013